(57)【要約】【課題】本発明は遠心コップを開示した。【解決手段】本体と前記本体の中に設置される液体保存チャンバと伝動チャンバとを含み、前記液体保存チャンバの頂壁の中には浄水チャンバが設置され、前記浄水チャンバと前記液体保存チャンバとの間には連通穴が設置され、前記浄水チャンバの外部には飲水チャンバが周設され、前記飲水チャンバと前記浄水チャンバとの間には出水孔が設置され、前記浄水チャンバの中には固定板が設置され、前記固定板の中にはスプライン穴が設置され、前記スプライン穴の中にはスプライン軸が設置され、前記スプライン軸の外表面には連結ロッドがヒンジにより連結される。【選択図】図１
2020175367.tif 000002
【特許請求の範囲】
【請求項１】
正面視で、本体と前記本体の中に設置される液体保存チャンバと伝動チャンバとを含み、前記液体保存チャンバの頂壁の中には浄水チャンバが設置され、前記浄水チャンバと前記液体保存チャンバとの間には連通穴が設置され、前記浄水チャンバの外部には飲水チャンバが周設され、前記飲水チャンバと前記浄水チャンバとの間には出水孔が設置され、前記浄水チャンバの中には固定板が設置され、前記固定板の中にはスプライン穴が設置され、前記スプライン穴の中にはスプライン軸が設置され、前記スプライン軸の外表面には連結ロッドがヒンジにより連結され、前記連結ロッドの末端には重力ボールが固定的に設置され、前記連結ロッドと前記固定板との間にはヒンジロッドがヒンジにより連結され、前記固定板と前記スプライン軸の端壁との間には第一ばねが弾性を持つように設置され、前記液体保存チャンバの中にはプッシュ板が設置され、前記プッシュ板の中にはネジ山穴が設置され、前記ネジ山穴の中には前記スプライン軸と固定されるネジ山ロッドがネジ山により連結され、前記ネジ山ロッドの底部が前記伝動チャンバの中に伸びており、且つ前記ネジ山ロッドの底部末端には第一傘歯車が固定的に設置され、前記伝動チャンバの左側壁の中には遠心チャンバが設置され、前記遠心チャンバと前記伝動チャンバとの間には第一回転軸が回転できるように設置され、前記伝動チャンバの中の前記第一回転軸の末端と前記伝動チャンバの右側壁の中に固定的に設置される第一モータとが伝動できるように連結され、前記伝動チャンバの中の前記第一回転軸の外表面には前記第一傘歯車と噛合している第二傘歯車が固定的に設置され、前記遠心チャンバの中の前記第一回転軸の末端には回転盤が固定的に設置され、前記回転盤の外円周には複数組の遠心溝が環状に分布され、前記遠心溝の中には遠心ブロックが設置され、前記遠心ブロックと前記遠心溝の端壁との間には第二ばねが弾性を持つように設置され、前記固定板が下に移動し前記出水孔を開けることを特徴とする遠心コップ。
【請求項２】
前記液体保存チャンバの右側壁の中には入水穴が設置され、前記入水穴の端壁の中にはバルブチャンバが設置され、前記バルブチャンバの左側壁の中には切換チャンバが設置され、前記切換チャンバと前記バルブチャンバとの間には第二回転軸が回転できるように設置され、前記バルブチャンバの中の前記第二回転軸の末端にはバルブが固定的に設置され、前記バルブの中にはバルブ穴が設置され、前記切換チャンバの中の前記第二回転軸の末端には第一歯車が固定的に設置され、前記切換チャンバの左側壁の中にはスライドチャンバが設置され、前記スライドチャンバの中にはスライドブロックが設置され、前記スライドブロックの右側壁の中には第二モータが設置され、前記第二モータの出力軸の末端には第二歯車が固定的に設置され、前記スライドチャンバの頂壁の中には第一スライド溝が設置され、前記第一スライド溝の中には前記スライドブロックと固定的に連結される第一ラックが設置され、前記第一ラックと前記第一スライド溝の端壁との間には第一復帰装置が弾性を持つように設置され、前記液体保存チャンバの底壁の中には第二スライド溝が設置され、前記第二スライド溝の中には第二ラックが設置され、前記第一スライド溝と前記第二スライド溝との間には歯車チャンバが設置され、前記歯車チャンバの中には前記第一ラックと第二ラックと噛合している第三歯車が設置され、前記切換チャンバの左側壁の中にはロックチャンバと糸巻きチャンバとが設置され、前記糸巻きチャンバと前記切換チャンバとの間には第三回転軸が回転できるように設置され、前記切換チャンバの中の前記第三回転軸の末端には第四歯車が固定的に設置され、前記糸巻きチャンバの中の前記第三回転軸の末端にはリールが固定的に設置され、前記ロックチャンバの中の前記第三回転軸の外表面にはロック輪が固定的に設置され、前記ロックチャンバと前記遠心チャンバとの間には第三スライド溝が設置され、前記第三スライド溝の中にはロックロッドが設置され、前記ロックロッドと前記第三スライド溝の端壁との間には第二復帰装置が弾性を持つように設置され、前記スライドブロックが下に移動し前記第二歯車を移動連動させ、駆動の切換を実現することを特徴とする請求項１に記載の遠心コップ。
【請求項３】
前記本体の頂壁には密封ドアがヒンジにより連結され、前記密封ドアの底壁の中には第一スライド穴が設置され、前記第一スライド穴の右側壁の中には第二スライド穴が設置され、前記第二スライド穴の中には第一スライドロッドが設置され、前記第一スライドロッドと前記第二スライド穴の端壁との間には第三ばねが弾性を持つように設置され、前記本体の頂壁の中には第三スライド穴が設置され、前記第三スライド穴の中には第二スライドロッドが設置され、前記第二スライドロッドと前記第三スライド穴の端壁との間には第三復帰装置が弾性を持つように設置され、前記第二スライドロッドの右側壁の中にはロック溝が設置され、前記第二スライドロッドの底部には前記リールの外表面に周設される引き糸が固定的に連結され、前記リールが回転し前記第二スライドロッドを引き、この時前記第一スライドロッドが前記ロック溝から押し出され、この時前記密封ドアを便利に開けることができることを特徴とする請求項１に記載の遠心コップ。
【発明の詳細な説明】
【技術分野】
【０００１】
本発明は浄水分野を取り上げて、具体的には遠心コップである。
【背景技術】
【０００２】
人々は野外で活動をする時、常に適時に十分な量の飲用水を見つけられなくて生存の危機をもたらし、伝統的なコップは水浄化の機能を持たなく、直接に浄化されていない水を飲めば生命の危険を引き起こしやすく、従って、上記問題を解決するために、遠心コップが必要となる。
【先行技術文献】
【特許文献】
【０００３】
【特許文献１】中国特許出願公開第103769310号明細書
【発明の概要】
【発明が解決しようとする課題】
【０００４】
本発明の目的は遠心コップを提供し、それは上記の現在の技術中の問題を解決できる。
【課題を解決するための手段】
【０００５】
本発明の遠心コップは、本体と前記本体の中に設置される液体保存チャンバと伝動チャンバとを含み、前記液体保存チャンバの頂壁の中には浄水チャンバが設置され、前記浄水チャンバと前記液体保存チャンバとの間には連通穴が設置され、前記浄水チャンバの外部には飲水チャンバが周設され、前記飲水チャンバと前記浄水チャンバとの間には出水孔が設置され、前記浄水チャンバの中には固定板が設置され、前記固定板の中にはスプライン穴が設置され、前記スプライン穴の中にはスプライン軸が設置され、前記スプライン軸の外表面には連結ロッドがヒンジにより連結され、前記連結ロッドの末端には重力ボールが固定的に設置され、前記連結ロッドと前記固定板との間にはヒンジロッドがヒンジにより連結され、前記固定板と前記スプライン軸の端壁との間には第一ばねが弾性を持つように設置され、前記液体保存チャンバの中にはプッシュ板が設置され、前記プッシュ板の中にはネジ山穴が設置され、前記ネジ山穴の中には前記スプライン軸と固定されるネジ山ロッドがネジ山により連結され、前記ネジ山ロッドの底部が前記伝動チャンバの中に伸びており、且つ前記ネジ山ロッドの底部末端には第一傘歯車が固定的に設置され、前記伝動チャンバの左側壁の中には遠心チャンバが設置され、前記遠心チャンバと前記伝動チャンバとの間には第一回転軸が回転できるように設置され、前記伝動チャンバの中の前記第一回転軸の末端と前記伝動チャンバの右側壁の中に固定的に設置される第一モータとが伝動できるように連結され、前記伝動チャンバの中の前記第一回転軸の外表面には前記第一傘歯車と噛合している第二傘歯車が固定的に設置され、前記遠心チャンバの中の前記第一回転軸の末端には回転盤が固定的に設置され、前記回転盤の外円周には複数組の遠心溝が環状に分布され、前記遠心溝の中には遠心ブロックが設置され、前記遠心ブロックと前記遠心溝の端壁との間には第二ばねが弾性を持つように設置され、前記固定板が下に移動し前記出水孔を開ける。
【０００６】
優選的には、前記液体保存チャンバの右側壁の中には入水穴が設置され、前記入水穴の端壁の中にはバルブチャンバが設置され、前記バルブチャンバの左側壁の中には切換チャンバが設置され、前記切換チャンバと前記バルブチャンバとの間には第二回転軸が回転できるように設置され、前記バルブチャンバの中の前記第二回転軸の末端にはバルブが固定的に設置され、前記バルブの中にはバルブ穴が設置され、前記切換チャンバの中の前記第二回転軸の末端には第一歯車が固定的に設置され、前記切換チャンバの左側壁の中にはスライドチャンバが設置され、前記スライドチャンバの中にはスライドブロックが設置され、前記スライドブロックの右側壁の中には第二モータが設置され、前記第二モータの出力軸の末端には第二歯車が固定的に設置され、前記スライドチャンバの頂壁の中には第一スライド溝が設置され、前記第一スライド溝の中には前記スライドブロックと固定的に連結される第一ラックが設置され、前記第一ラックと前記第一スライド溝の端壁との間には第一復帰装置が弾性を持つように設置され、前記液体保存チャンバの底壁の中には第二スライド溝が設置され、前記第二スライド溝の中には第二ラックが設置され、前記第一スライド溝と前記第二スライド溝との間には歯車チャンバが設置され、前記歯車チャンバの中には前記第一ラックと第二ラックと噛合している第三歯車が設置され、前記切換チャンバの左側壁の中にはロックチャンバと糸巻きチャンバとが設置され、前記糸巻きチャンバと前記切換チャンバとの間には第三回転軸が回転できるように設置され、前記切換チャンバの中の前記第三回転軸の末端には第四歯車が固定的に設置され、前記糸巻きチャンバの中の前記第三回転軸の末端にはリールが固定的に設置され、前記ロックチャンバの中の前記第三回転軸の外表面にはロック輪が固定的に設置され、前記ロックチャンバと前記遠心チャンバとの間には第三スライド溝が設置され、前記第三スライド溝の中にはロックロッドが設置され、前記ロックロッドと前記第三スライド溝の端壁との間には第二復帰装置が弾性を持つように設置され、前記スライドブロックが下に移動し前記第二歯車を移動連動させ、駆動の切換を実現する。
【０００７】
優選的には、前記本体の頂壁には密封ドアがヒンジにより連結され、前記密封ドアの底壁の中には第一スライド穴が設置され、前記第一スライド穴の右側壁の中には第二スライド穴が設置され、前記第二スライド穴の中には第一スライドロッドが設置され、前記第一スライドロッドと前記第二スライド穴の端壁との間には第三ばねが弾性を持つように設置され、前記本体の頂壁の中には第三スライド穴が設置され、前記第三スライド穴の中には第二スライドロッドが設置され、前記第二スライドロッドと前記第三スライド穴の端壁との間には第三復帰装置が弾性を持つように設置され、前記第二スライドロッドの右側壁の中にはロック溝が設置され、前記第二スライドロッドの底部には前記リールの外表面に周設される引き糸が固定的に連結され、前記リールが回転し前記第二スライドロッドを引き、この時前記第一スライドロッドが前記ロック溝から押し出され、この時前記密封ドアを便利に開けることができる。
【発明の効果】
【０００８】
本発明の有益的な効果は：本発明の設備は遠心力を利用し液体の分層を実現でき、同時に設備が徐々に液体を補充でき、液体を遠心浄化する効果がより良く、同時に自動ロック装置も設置され、遠心過程中に密封ドアを開けることを避け、より安全である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の遠心コップの全体構造概略図
【図２】図２は図１のＡの拡大構造概略図
【図３】図３は図１のＢの拡大構造概略図
【図４】図４は図１のＣの拡大構造概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４に示すように、本発明の遠心コップは、本体１０と前記本体１０の中に設置される液体保存チャンバ１１と伝動チャンバ２８とを含み、前記液体保存チャンバ１１の頂壁の中には浄水チャンバ１９が設置され、前記浄水チャンバ１９と前記液体保存チャンバ１１との間には連通穴１２が設置され、前記浄水チャンバ１９の外部には飲水チャンバ１６が周設され、前記飲水チャンバ１６と前記浄水チャンバ１９との間には出水孔１７が設置され、前記浄水チャンバ１９の中には固定板１８が設置され、前記固定板１８の中にはスプライン穴１５が設置され、前記スプライン穴１５の中にはスプライン軸１９が設置され、前記スプライン軸１９の外表面には連結ロッド２２がヒンジにより連結され、前記連結ロッド２２の末端には重力ボール１３が固定的に設置され、前記連結ロッド２２と前記固定板１８との間にはヒンジロッド１４がヒンジにより連結され、前記固定板１８と前記スプライン軸１９の端壁との間には第一ばね２１が弾性を持つように設置され、前記液体保存チャンバ１１の中にはプッシュ板３３が設置され、前記プッシュ板３３の中にはネジ山穴２５が設置され、前記ネジ山穴２５の中には前記スプライン軸１９と固定されるネジ山ロッド２３がネジ山により連結され、前記ネジ山ロッド２３の底部が前記伝動チャンバ２８の中に伸びており、且つ前記ネジ山ロッド２３の底部末端には第一傘歯車２６が固定的に設置され、前記伝動チャンバ２８の左側壁の中には遠心チャンバ１４が設置され、前記遠心チャンバ１４と前記伝動チャンバ２８との間には第一回転軸４３が回転できるように設置され、前記伝動チャンバ２８の中の前記第一回転軸４３の末端と前記伝動チャンバ２８の右側壁の中に固定的に設置される第一モータ３１とが伝動できるように連結され、前記伝動チャンバ２８の中の前記第一回転軸４３の外表面には前記第一傘歯車２６と噛合している第二傘歯車２７が固定的に設置され、前記遠心チャンバ１４の中の前記第一回転軸４３の末端には回転盤３４が固定的に設置され、前記回転盤３４の外円周には複数組の遠心溝３５が環状に分布され、前記遠心溝３５の中には遠心ブロック３７が設置され、前記遠心ブロック３７と前記遠心溝３５の端壁との間には第二ばね３６が弾性を持つように設置され、前記固定板１８が下に移動し前記出水孔１７を開ける。
【００１３】
有益的には、前記液体保存チャンバ１１の右側壁の中には入水穴３２が設置され、前記入水穴３２の端壁の中にはバルブチャンバ５８が設置され、前記バルブチャンバ５８の左側壁の中には切換チャンバ５３が設置され、前記切換チャンバ５３と前記バルブチャンバ５８との間には第二回転軸５９が回転できるように設置され、前記バルブチャンバ５８の中の前記第二回転軸５９の末端にはバルブ５６が固定的に設置され、前記バルブ５６の中にはバルブ穴５７が設置され、前記切換チャンバ５３の中の前記第二回転軸５９の末端には第一歯車６０が固定的に設置され、前記切換チャンバ５３の左側壁の中にはスライドチャンバ５２が設置され、前記スライドチャンバ５２の中にはスライドブロック５１が設置され、前記スライドブロック５１の右側壁の中には第二モータ５０が設置され、前記第二モータ５０の出力軸の末端には第二歯車４９が固定的に設置され、前記スライドチャンバ５２の頂壁の中には第一スライド溝６２が設置され、前記第一スライド溝６２の中には前記スライドブロック５１と固定的に連結される第一ラック４８が設置され、前記第一ラック４８と前記第一スライド溝６２の端壁との間には第一復帰装置６１が弾性を持つように設置され、前記液体保存チャンバ１１の底壁の中には第二スライド溝６３が設置され、前記第二スライド溝６３の中には第二ラック４７が設置され、前記第一スライド溝６２と前記第二スライド溝６３との間には歯車チャンバ４５が設置され、前記歯車チャンバ４５の中には前記第一ラック４８と第二ラック４７と噛合している第三歯車４６が設置され、前記切換チャンバ５３の左側壁の中にはロックチャンバ３８と糸巻きチャンバ２９とが設置され、前記糸巻きチャンバ２９と前記切換チャンバ５３との間には第三回転軸５５が回転できるように設置され、前記切換チャンバ５３の中の前記第三回転軸５５の末端には第四歯車５４が固定的に設置され、前記糸巻きチャンバ２９の中の前記第三回転軸５５の末端にはリール３０が固定的に設置され、前記ロックチャンバ３８の中の前記第三回転軸５５の外表面にはロック輪３９が固定的に設置され、前記ロックチャンバ３８と前記遠心チャンバ４４との間には第三スライド溝４０が設置され、前記第三スライド溝４０の中にはロックロッド４２が設置され、前記ロックロッド４２と前記第三スライド溝４０の端壁との間には第二復帰装置４１が弾性を持つように設置され、前記スライドブロック５１が下に移動し前記第二歯車４９を移動連動させ、駆動の切換を実現する。
【００１４】
有益的には、前記本体１０の頂壁には密封ドア７２がヒンジにより連結され、前記密封ドア７２の底壁の中には第一スライド穴６９が設置され、前記第一スライド穴６９の右側壁の中には第二スライド穴６７が設置され、前記第二スライド穴６７の中には第一スライドロッド６８が設置され、前記第一スライドロッド６８と前記第二スライド穴６７の端壁との間には第三ばね６６が弾性を持つように設置され、前記本体１０の頂壁の中には第三スライド穴６４が設置され、前記第三スライド穴６４の中には第二スライドロッド７０が設置され、前記第二スライドロッド７０と前記第三スライド穴６４の端壁との間には第三復帰装置６５が弾性を持つように設置され、前記第二スライドロッド７０の右側壁の中にはロック溝７１が設置され、前記第二スライドロッド７０の底部には前記リール３０の外表面に周設される引き糸２４が固定的に連結され、前記リール３０が回転し前記第二スライドロッド７０を引き、この時前記第一スライドロッド６８が前記ロック溝７１から押し出され、この時前記密封ドア７２を便利に開けることができる。
【００１５】
下記に、図１〜４と上記に記述した本発明の遠心コップの具体的な組み合わせとを参考しその作業流れを詳しく紹介する：
【００１６】
第二モータ５０を始動し、第二モータ５０が回転し第二歯車４９を回転連動させ、それにより第一歯車６０とバルブ５６とを回転連動させ、それによりバルブ穴５７と入水穴３２とを連通連動させ、この時液体保存チャンバ１１の中に水を入れ、そして第二モータ５０を始動し、第二モータ５０が反転し入水穴３２を閉め、この時第一モータ３１を始動し、第一モータ３１が第二傘歯車２７と、第一傘歯車２６と、ネジ山ロッド２３及びスプライン軸２０を回転連動させ、それによりプッシュ板３３を上に移動連動させて液体保存チャンバ１１の中の液体を浄水チャンバ１９の中にプッシュし、同時にスプライン軸２０が回転し固定板１８を回転連動させ、この時重力ボール１３が遠心力の作用により固定板１８を引き下に移動させ、出水孔１７が開けられ、同時に重力ボール１３が回転し浄水チャンバ１９の中の液体を撹拌し、この時遠心力の作用により洗浄液体が上に移動し、同時に不純物が下に沈殿し、この時洗浄された液体が飲水チャンバ１６の中に入り、第二傘歯車２７が回転するため、回転盤３４が回転し、この時遠心ブロック３７が外部に移動しロックロッド４２を押し、それによりロック輪３９をロックし、この時密封ドア７２を開けられなく、この時プッシュ板３３が上に移動するため、第二ラック４７が当接を失い上に移動し、スライドブロック５１が下に移動し、第二歯車４９と第四歯車５４とが噛合し、このとき第一モータ３１を止めて第二モータ５０を始動し、リール３０を回転連動させて第二スライドロッド７０を引き、この時第一スライドロッド６８がロック溝７１から押し出され、この時便利に密封ドア７２を開けられ、水の浄化を完成し、便利に飲用できる。
【００１７】
以上の詳しい分析から分かるように：本発明の設備は遠心力を利用し液体の分層を実現でき、同時に設備が徐々に液体を補充でき、液体を遠心浄化する効果がより良く、同時に自動ロック装置も設置され、遠心過程中に密封ドアを開けることを避け、より安全である。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175367.tif 000003
【図２】
2020175367.tif 000004
【図３】
2020175367.tif 000005
【図４】
2020175367.tif 000006